(57)【要約】【課題】本発明は、無線受信機、特に、ただし限定されないが、超広帯域通信マルチバンド直交周波数分割多重（ＭＢ−ＯＦＤＭ）受信機を提供する。【解決手段】超広帯域受信機は、信号処理の後であって、かつデコーディングの前に、複数のチャンネルからのデジタルデータを組み合わせ、複数のチャンネルからの制御信号を組み合わせたマスターコントローラを提供して受信機を制御する。【選択図】図１
2007082212.tif 000002
【特許請求の範囲】
【請求項１】
複数のチャンネルと、
データコンバイナとを備え、
各チャンネルは、同相（Ｉ）信号用のアナログ−デジタルコンバータと直角位相（Ｑ）信号用のアナログ−デジタルコンバータとを有し、さらに前記ＩおよびＱアナログ−デジタルコンバータに連結される信号処理ブロックを有し、
前記データコンバイナは、各チャンネルの前記信号処理ブロックに連結され、ＩおよびＱ信号をチャンネルごとに別々に組み合わせることを特徴とする受信機。
【請求項２】
前記信号処理ブロックはさらにコントローラに連結され、該コントローラは前記複数のチャンネルから入ってくる相関値を組み合わせるコンバイナを備えることを特徴とする請求項１に記載の受信機。
【請求項３】
前記コンバイナは、前記複数のチャンネルからの相関位相差および位相推定を組み合わせることを特徴とする請求項２に記載の受信機。
【請求項４】
組み合わされた位相推定は、位相ロックループでのサンプル周波数オフセットの補正に用いられることを特徴とする請求項３に記載の受信機。
【請求項５】
前記複数のチャンネルからの相関値は選択可能であることを特徴とする請求項２に記載の受信機。
【請求項６】
前記選択は、前記複数のチャンネルの信号対雑音比に基づくことを特徴とする請求項５に記載の受信機。
【請求項７】
前記コンバイナは、信号の信号対雑音比に基づいた加重平均を用いて信号を組み合わせることを特徴とする請求項２に記載の受信機。
【請求項８】
前記コンバイナは、単純平均を用いて信号を組み合わせることを特徴とする請求項２に記載の受信機。
【請求項９】
前記コンバイナは、前記複数のチャンネルのうちの使用可能なチャンネルからの相関値を組み合わせることを特徴とする請求項２に記載の受信機。
【請求項１０】
前記コンバイナは、前記複数のチャンネルは３つのチャンネルを含むことを特徴とする請求項１に記載の受信機。
【請求項１１】
前記コンバイナに連結され、送信機のエンコーディング機能を反転させるデコーダをさらに備えることを特徴とする請求項１に記載の受信機。
【請求項１２】
前記コンバイナは前記信号処理ブロックの後に位置することを特徴とする請求項７に記載の受信機。
【請求項１３】
前記信号処理ブロックと送信機とは、高速フーリエ変換を共有することを特徴とする請求項１に記載の受信機。
【請求項１４】
複数のチャンネル用に、同相（Ｉ）信号と直角位相（Ｑ）信号をアナログからデジタルに変換し、
変換された各信号を信号処理し、
前記処理後、ＩおよびＱ信号をチャンネルごとに別々に組み合わせることを特徴とする方法。
【請求項１５】
前記複数のチャンネルから入ってくる相関値を組み合わせる工程をさらに備えることを特徴とする請求項１４に記載の方法。
【請求項１６】
前記複数のチャンネルからの相関位相差および位相推定を組み合わせる工程をさらに備えることを特徴とする請求項１５に記載の方法。
【請求項１７】
組み合わされた位相推定は、位相ロックループでのサンプル周波数オフセットの補正に用いられることを特徴とする請求項１６に記載の方法。
【請求項１８】
前記複数のチャンネルからの相関値は選択可能であることを特徴とする請求項１５に記載の方法。
【請求項１９】
前記選択は、前記複数のチャンネルの信号対雑音比に基づくことを特徴とする請求項１８に記載の方法。
【請求項２０】
信号の信号対雑音比に基づいた加重平均を用いて信号を組み合わせることを特徴とする請求項１４に記載の方法。
【請求項２１】
単純平均を用いて信号を組み合わせることを特徴とする請求項１４に記載の方法。
【請求項２２】
前記複数のチャンネルは３つのチャンネルを含むことを特徴とする請求項１４に記載の方法。
【請求項２３】
送信機のエンコーディング機能を反転させる工程をさらに備えることを特徴とする請求項１４に記載の方法。
【請求項２４】
前記信号処理によりデータおよび制御信号を生成し、
該制御信号を組み合わせて前記反転に用いられる一組のマスター制御信号を生成する工程をさらに備えることを特徴とする請求項２０に記載の方法。
【請求項２５】
複数のチャンネル用に、同相（Ｉ）信号と直角位相（Ｑ）信号をアナログからデジタルに変換する手段と、
変換された各信号を信号処理する手段と、
前記信号処理手段に連結され、前記信号処理後に、ＩおよびＱ信号をチャンネルごとに別々に組み合わせる手段とを備えたことを特徴とするシステム。
【発明の詳細な説明】
【技術分野】
【０００１】
本発明は、一般に無線受信機に係り、特に、ただし限定されないが、超広帯域通信マルチバンド直交周波数分割多重（ＭＢ−ＯＦＤＭ）受信機に関する。
【背景技術】
【０００２】
ＭＢ−ＯＦＤＭ用の物理層（ＰＨＹ）規格は、WiMedia  Allianceと呼ばれる財団によって開発されたものである。この規格はＩＥＥＥ８０２.１５.３ａパーソナルエリアネットワーク用に提唱されたもので、WiMedia  Allianceのウェブサイトwww.wimedia.orgで見ることができる。
【発明の開示】
【発明が解決しようとする課題】
【０００３】
このWiMedia規格は、信号を発信するＭＢ−ＯＦＤＭに要求される事項を提供するが、受信機の詳細については実施者に委ねられている。このような理由から、頑健な受信機の設計が望まれている。
【課題を解決するための手段】
【０００４】
本発明の一実施形態では、受信機は複数のチャンネルを備えている。各チャンネルは、同相（Ｉ）信号用のアナログ−デジタルコンバータと直角位相（Ｑ）信号用のアナログ−デジタルコンバータとを有する。各チャンネルはＩおよびＱアナログ−デジタルコンバータに連結される信号処理ブロックを有する。信号処理ブロックに連結されるデータコンバイナは、ＩおよびＱ信号をチャンネルごとに別々に組み合わせる。
【０００５】
本発明の一実施形態では、複数のチャンネル用に、同相（Ｉ）信号と直角位相（Ｑ）信号をアナログからデジタルに変換し、変換された各信号を信号処理してデータおよび制御信号を生成し、前記処理後、前記制御信号を組み合わせて受信機用の一組のマスターコントロールを生成し、前記処理後、データ信号をチャンネルごとに別々に組み合わせ、組み合わされた信号をデコードすることを特徴とする方法である。
【発明を実施するための最良の形態】
【０００６】
以下の説明は、この技術分野における通常の知識を有する者が本発明を作ることができ、かつ使用することができることを意図するものであり、ある特定の用途とその要件の内容について説明するものである。実施形態の種々の変形は当業者にとって自明のことであり、ここに述べられる発明の本質は、本発明の思想と範囲から離れることなく他の実施形態および用途に適用されうる。したがって、本発明は記載された実施形態に限定されるものではなく、ここに開示される発明の本質と、特徴的構成と、説明に従って最も広い範囲が与えられる。
【０００７】
図１は本発明の一実施形態に係る送信機部１００を示すブロック図である。送信機および受信機は同一のチップに集積されている。媒体アクセス制御レイヤー（ＭＡＣ）は、ＰＨＹヘッダ作成部１１０に入力される制御情報を提供する。このＰＨＹヘッダ作成部１１０は巡回冗長検査（ＣＲＣ）エンコーダ１２０に連結されている。ＭＡＣは追加のヘッダ情報をＣＲＣエンコーダ１２０に供給する。ＣＲＣエンコーダ１２０は巡回冗長検査を計算し、組み合わされたヘッダに巡回冗長検査を付ける。ＣＲＣブロック１２０は周波数帯変換器（スクランブラ）１４０に連結されており、この周波数帯変換器１４０はさらにリードソロモンエンコーダ１５０に連結されている。
【０００８】
リードソロモンエンコーダ１５０から出た変更後のヘッダは、畳込みエンコーダおよび破壊器１６０に用いられる。ユーザーデータまたはペイロード自体は、やや異なる経路を通って畳込みエンコーダ１６０に送られる。すなわち、ＭＡＣからのペイロードは、まずパッドビット計算機１３０に入り、ここでインターリーブ部１７０に最適なフレームサイズを得るためにいくつのビット数を付けるかを判断する。データは、次に周波数帯変換器１４０に入り、さらに畳込みエンコーダおよび破壊器１６０に入る。データおよびヘッダは、いずれも同一の経路を通ってインターリーブ部１７０およびマッピング部１７５に送られる。
【０００９】
ＯＦＤＭ変調は逆高速フーリエ変換（ＩＦＦＴ）１８０を用いることによって完了する。この逆高速フーリエ変換１８０はパケット作成部１８５にさらに連結されている。パケット作成部１８５は、プリアンブル、ヘッダ、ペイロードを組み立て、それらをデジタル−アナログコンバータ（ＤＡＣ）１９０を通じてアナログ無線周波数（ＲＦ）送信機に送る。パケット作成部１８５は、バンド選択信号を生成し、これをＲＦ送信機に送り、これによりバンドホッピングを可能とする（すなわち、送信周波数を変えることによりマルチユーザー通信を可能とする）。
【００１０】
図２は本発明の一実施形態に係るインテリジェント・アレー無線受信機（ＩＡＲ）２００を説明する図である。これはマルチチャンネル受信機であり、本実施形態では３つのチャンネルを有している。アナログ無線周波数（ＲＦ）マルチチャンネル受信機からの各信号は、同一構成のアナログ−デジタルコンバータ（ＡＤＣ）２１０に入る。１つのチャンネルにつき２つのＡＤＣ２１０が設けられており、１つは同相（Ｉ）信号用、もう１つは直角位相（Ｑ）信号用である。ＡＤＣは、チャンネルごとに設けられた信号処理ブロック３００に連結されている。信号処理ブロック３００は、周波数ホッピングのためのゲインコントロールおよびバンド選択に関する制御情報をＲＦ受信機に供給する。信号処理ブロック３００のデータ出力はデータコンバイナ２３０に送られる。データコンバイナ２３０は各チャンネルから（ＩとＱとが別々に）送られてくるデータ値を組み合わせて１つのデータストリームにまとめる。
【００１１】
データコンバイナ２３０は、どのチャンネルが使用可能かを示すチャンネル選択信号によって制御され、どの信号を組み合わせるかを判断する。一実施形態では、全ての利用可能なチャンネルが使用でき、組み合わされる。しかしながら、どのようなチャンネルの組み合わせも、診断目的のためにまたはチップの節電のために可能である。組み合わせには多くのやり方がある。例えば、データコンバイナ２３０が信号対雑音比（ＳＮＲ）の観点からベストの（例えば、最もＳＮＲの高い）チャンネルを選択してもよく、データコンバイナ２３０が各チャンネルからの信号を単純平均してもよく、データコンバイナ２３０が各チャンネルからの信号をＳＮＲに基づいて重み付けして加重平均してもよい。
【００１２】
データコンバイナ２３０はバックエンドデコーダ４００に連結されている。バックエンドデコーダ４００は媒体アクセス制御レイヤー（ＭＡＣ）に送られるユーザーデータを生成する。データコンバイナ２３０を信号処理ブロック３００の後に配置したことにより、全てのチャンネル上のデータを最適に処理して最適なゲインと位相とした後にデータが組み合わされ、次いでデコードすることが確実に行われる。信号処理ブロック３００はＩＡＲマスターコントローラ５００にも連結されている。このＩＡＲマスターコントローラ５００は、受信機の全てのチャンネルを制御するために、各チャンネルからの同期情報およびサンプリング周波数のオフセット推定を処理する。ＩＡＲマスターコントローラ５００は、サンプリング周波数のオフセットを補正するために、クロック位相の制御を行うＡＤＣクロック２５５を制御する位相ロックループ２５０にフィードバックを行う。チャンネル１用のＡＤＣ２１０はクリアチャンネル評価ブロック２７０に連結されている。このブロック２７０はＭＡＣからの信号を介して制御されている。また、このブロックはＭＡＣに使用され、オーバーエアーチャンネルが伝送のために明瞭であるかどうかを判断する。
【００１３】
図３は、受信機内の各チャンネル用に用意された同一構成の信号処理ブロック３００を示すブロック図である。ＡＤＣ出力は符号同期ブロック３１０に入る。このブロック３１０は入ってくる信号と既知のプリアンブルとを関連付ける。このような目的で用いられる符号同期ブロック３１０の詳細な動作は、２００５年１１月２８日に出願された米国特許出願１１／２８８，８７９号に記載されており、この明細書に参照先として組み込まれる。符号同期相関値はＩＡＲマスターコントローラ５００に送られ、ここでさらに処理される。符号同期ブロック３１０からのデータは、自動ゲインコントロール（ＡＧＣ）３２０に送られる。このＡＧＣ３２０は好ましい増幅ゲインレベルに関するフィードバックをＲＦ受信機に与える。このような目的で用いられるＡＧＣ３２０の詳細は、２００６年６月８日に出願された米国特許出願１１／４２３，１４５号に記載されており、この明細書に参照先として組み込まれる。
【００１４】
自動ゲインコントロールは３つのチャンネルのそれぞれに設けられ、周波数帯域ごとに個々に設けられている。符号同期３１０はフレーム同期ブロック３３０に連結されている。このブロック３３０は信号自己相関を算出し、この信号自己相関の位相差をＩＡＲマスターコントローラ５００に渡してさらに処理させる。フレーム同期３３０の後、データは重複付加ブロック３４０に入り、ここで残存するタイミングの不整列を補正する。この重複付加ブロック３４０は高速フーリエ変換（ＦＦＴ）３５０に連結され、ここでＯＦＤＭ復調が行われる。
【００１５】
チャンネル１上のＦＦＴ３５０は伝送側と共有され、伝送側ではＩＦＦＴ１８０として用いられる。ＦＦＴ３５０の出力はチャンネルイコライザー３６０に送られる。このチャンネルイコライザー３６０はパイロットブロック３７０に連結されている。パイロットブロックは搬送周波数オフセット（ＣＦＯ）補正機能とサンプリング周波数オフセット（ＳＦＯ）補正機能とを含んでいる。このような目的で用いられるＳＦＯ方法の詳細は、２００６年８月２４日に出願された米国特許出願１１／４６７，１５８号に記載されており、この明細書に参照先として組み込まれる。各チャンネルのパイロットブロック３７０の出力はデータコンバイナ２３０に入る。各チャンネルのパイロットブロック３７０は、ＳＦＯ位相推定をＩＡＲマスターコントローラ５００に提供する。
【００１６】
図４は送信機のエンコーディング機能を反転させるバックエンドデコーダ４００を示すブロック図である。データコンバイナ２３０の出力はデスプレッダ４１０に入る。このデスプレッダ４１０は伝送された複製サンプルを平均するものである。デスプレッダ４１０はデマッピング部４２０に連結されている。このデマッピング部４２０は、サンプルをビタビ複合器４４０によって要求される軟判定値にマッピングするものであり、デインターリーブ部４３０に連結されている。デインターリーブ部４３０はビタビ複合器４４０に連結されている。
【００１７】
デインターリーブ部４３０は高速データレートデコーダ４５０にも連結されている。高速データレートデコーダ４５０はビタビ複合器４４０と並列して動作し、ビタビ複合器４４０よりも高速でヘッダのフロントエンドをデコードする。このような目的で用いられる高速データレートデコーダ４５０の詳細は、２００６年４月３日に出願された米国特許出願１１／２７８，５３６号に記載されており、この明細書に参照先として組み込まれる。ビタビ複合器４４０はデスクランブラ４６０およびヘッダデコーダ４７０に連結されている。デスクランブラ４６０の出力はデコードされたユーザーデータを含んでおり、このユーザーデータはＭＡＣに送られる。また、デスクランブラ４６０の出力は、ヘッダデコーダ４７０およびヘッダＣＲＣデコーダ４８０でさらに処理が必要なヘッダ情報も含んでいる。これらのブロックはＭＡＣへのヘッダおよび制御情報を生成する。
【００１８】
図５はＩＡＲマスターコントローラ５００を示すブロック図である。このＩＡＲマスターコントローラ５００は、３つの受信機経路からそれぞれ送られる同期情報およびサンプリング周波数オフセット情報を処理し、受信機用の一組の制御信号にする。各経路からの符号同期相関値は、マスター符号同期ブロック５１０に送られ、このブロック５１０は、入ってくる相関値を処理し、符号境界およびパケット検知制御情報を生成して次のブロックに送る。マスター符号同期ブロック５１０は、データコンバイナ２３０を制御する同一のチャンネル選択信号によって制御される。チャンネル選択信号はどのチャンネルが使用可能かを示し、どの値が処理されるかを判断する。一実施形態では、全ての利用可能なチャンネルが使用でき、組み合わされる。しかしながら、どのようなチャンネルの組み合わせも、診断目的のためにまたはチップの節電のために可能である。また、フレーム同期のため、各チャンネルからの相関位相差異がＩＡＲマスターコントローラに入る。これらの信号は、マスターフレーム同期ブロック５３０に入る。このブロック５３０もチャンネル選択信号によって制御される。
【００１９】
マスターフレーム同期ブロック５３０は、パケット内で、チャンネル推定符号、ヘッダ符号、およびデータ符号の始点を判断する。この情報は、重複付加ブロック３４０から始まるその後のブロック群でのこれら符号の処理を可能とする。そして最後に、各チャンネルからのサンプリング周波数オフセット（ＳＦＯ）推定は、チャンネル選択信号によって制御されるマスターＳＦＯフィードバックコントロールブロック５５０に入る。このマスターＳＦＯフィードバックコントロールブロックは、符号同期ブロック３１０と、サンプリングクロック２５５を制御するＰＬＬ２５０とに制御情報を与える。サンプリング周波数オフセット補正の方法の詳細は、米国特許出願１１／４６７，１５８号に記載されている。
【００２０】
図６Ａはマスター符号同期ブロック５１０で実行することができる第１の方法６００を示すフローチャートである。使用できる方法は多数あるが、ここでは４つの方法について説明する。第１の方法は、使用可能な各チャンネルからの符号同期相関値をマスター符号同期ブロック５１０が受け取ったときに始まる（６０２）。“ベスト”チャンネルはＳＮＲなどのいくつかの基準に基づいて選択される（６０４）。そして、所望の符号同期方法を用いて“ベスト”チャンネルについての符号同期が行われる（６０６）。この符号同期方法としては、例えば米国特許出願１１／２８８，８７９号に記載されている方法を用いることができる。得られた符号境界およびパケット検知制御信号は全てのチャンネルに送られ（６０８）、そして処理が終了する。
【００２１】
図６Ｂはマスター符号同期ブロック５１０で実行することができる第２の方法６２０を示すフローチャートである。使用可能な各チャンネルからの符号同期相関値はマスター符号同期ブロック５１０が受ける（６０２）。使用可能な各チャンネルからの相関値は単純平均または加重平均を用いて平均化される（６２４）。そして、所望の符号同期方法を用い、平均化された相関値に基づいて符号同期が行われる（６２６）。この符号同期方法としては、例えば米国特許出願１１／２８８，８７９号に記載されている方法を用いることができる。得られた符号境界およびパケット検知制御信号は全てのチャンネルに送られ（６０８）、そして処理が終了する。
【００２２】
図６Ｃはマスター符号同期ブロック５１０で実行することができる第３の方法６４０を示すフローチャートである。使用可能な各チャンネルからの符号同期相関値はマスター符号同期ブロック５１０が受ける（６０２）。符号同期は使用可能なチャンネルごとに個々に行われる（６４４）。この場合の符号同期は、米国特許出願１１／２８８，８７９号に記載されている符号同期方法などの所望の符号同期方法を用いて行うことができる。受信機のための同期は、いずれか１つのチャンネルが同期を示したときに達成されたこととする（６４６）。得られた符号境界およびパケット検知制御信号は全てのチャンネルに送られ（６０８）、そして処理が終了する。
【００２３】
図６Ｄはマスター符号同期ブロック５１０で実行することができる第４の方法６６０を示すフローチャートである。使用可能な各チャンネルからの符号同期相関値はマスター符号同期ブロック５１０が受ける（６０２）。符号同期は使用可能なチャンネルごとに個々に行われる（６４４）。この符号同期は、米国特許出願１１／２８８，８７９号に記載されている符号同期方法などの所望の符号同期方法を用いて行うことができる。受信機のための同期は、使用可能なチャンネルの大多数がおおよそ同一の時間に同期したことを示したときに達成されたこととする（６６６）。得られた符号境界およびパケット検知制御信号は全てのチャンネルに送られ（６０８）、そして処理が終了する。
【００２４】
図７Ａはマスターフレーム同期ブロック５３０で実行することができる第１の方法７００を示すフローチャートである。使用できる方法は多数あるが、ここでは４つの方法について説明する。第１の方法は、使用可能な各チャンネルからのフレーム同期相関位相差をマスターフレーム同期ブロック５３０が受け取ったときに始まる（７０２）。“ベスト”チャンネルはＳＮＲなどのいくつかの基準に基づいて選択される（７０４）。そして、大きな位相差を検査する方法などの所望のフレーム同期方法を用いて“ベスト”チャンネルについてのフレーム同期が行われる（７０６）。得られたフレーム開始位置は全てのチャンネルに送られ（７０８）、そして処理が終了する。
【００２５】
図７Ｂはマスターフレーム同期ブロック７２０で実行することができる第２の方法７２０を示すフローチャートである。使用可能な各チャンネルからのフレーム同期相関位相差はマスターフレーム同期ブロック５３０が受ける（７０２）。使用可能な各チャンネルからの相関位相差は単純平均または加重平均を用いて平均化される（７２４）。そして、大きな位相差を検査する方法などの所望のフレーム同期方法を用い、平均化された位相差に基づいてフレーム同期が行われる（７２６）。得られたフレーム開始位置は全てのチャンネルに送られ（７０８）、そして処理が終了する。
【００２６】
図７Ｃはマスターフレーム同期ブロック５３０で実行することができる第３の方法７４０を示すフローチャートである。使用可能な各チャンネルからのフレーム同期相関位相差はマスターフレーム同期ブロック５３０が受ける（７０２）。フレーム同期は使用可能なチャンネルごとに個々に行われる（７４４）。この場合のフレーム同期は、大きな位相差を検査する方法などの所望のフレーム同期方法を用いて行うことができる。受信機のための同期は、いずれか１つのチャンネルが同期を示したときに達成されたこととする（７４６）。得られたフレーム開始位置は全てのチャンネルに送られ（７０８）、そして処理が終了する。
【００２７】
図７Ｄはマスターフレーム同期ブロック５３０で実行することができる第４の方法７６０を示すフローチャートである。使用可能な各チャンネルからのフレーム同期相関位相差はマスターフレーム同期ブロック５３０が受ける（７０２）。フレーム同期は使用可能なチャンネルごとに個々に行われる（７４４）。この場合のフレーム同期は、大きな位相差を検査する方法などの所望のフレーム同期方法を用いて行うことができる。受信機のための同期は、使用可能なチャンネルの大多数がおおよそ同一の時間に同期したことを示したときに達成されたこととする（７６６）。得られたフレーム開始位置は全てのチャンネルに送られ（７０８）、そして処理が終了する。
【００２８】
図８ＡはＳＦＯ位相推定をマスターＳＦＯフィードバック制御ブロック５５０内で組み込む第１の方法８００を示すフローチャートである。使用できる方法は多数あるが、ここでは２つの方法について説明する。この第１の方法は、使用可能な各チャンネルからのＳＦＯ位相推定をマスターＳＦＯフィードバック制御ブロック５５０が受け取ったときに始まる（８０２）。“ベスト”チャンネルはＳＮＲなどのいくつかの基準に基づいて選択される（８０４）。そして、米国特許出願１１／４６７，１５８号に記載されている方法などの所望の方法を用いて、“ベスト”チャンネルに基づいてＳＦＯの調整が必要かどうかが判断される（８０６）。そして、ＳＦＯの調整が行われ（８０８）、処理が終了する。
【００２９】
図８ＢはＳＦＯ位相推定をマスターＳＦＯフィードバック制御ブロック５５０内で組み込む第２の方法８２０を示すフローチャートである。使用可能な各チャンネルからのＳＦＯ位相推定はマスターＳＦＯフィードバック制御ブロック５５０が受ける（８０２）。ＳＦＯ位相推定は単純平均または加重平均を用いて平均化される（８２４）。そして、米国特許出願１１／４６７，１５８号に記載されている方法などの所望の方法を用いて、平均化された位相推定に基づいてＳＦＯの調整が必要かどうかが判断される（８０６）。そして、ＳＦＯの調整が行われ（８０８）、処理が終了する。
【００３０】
図９は信号を受信する方法９００を示すフローチャートである。本発明の一実施形態では、受信機２００がこの方法９００を実行可能に構成されている。複数のチャンネル用に、同相（Ｉ）信号と直角位相（Ｑ）信号がアナログからデジタルに変換される（９１０）。変換された信号は処理され（９２０）、データおよび制御信号を生成する。処理後、制御信号同士は組み合わされ（９３０）、受信機へ送信される一組のマスターコントロールが生成される。各チャンネルからの処理されたデータ信号は互いに組み合わされ（９４０）、組み合わされた信号はデコードされる（９５０）。そして、この方法９００の処理が終了する。
【００３１】
今まで述べてきた本発明の実施形態は例示に過ぎず、上記実施形態および方法の他の変形や変更は、今まで述べてきた内容に照らして可能である。例えば、上記実施形態は超広帯域について説明されているが、他の無線技術についての実施形態も可能である。さらに、本発明の構成はフログラムされた汎用デジタルコンピュータを用いてもよく、特定の用途を持った集積回路を用いてもよく、相互に連結された公知の構成および回路からなるネットワークを用いてもよい。接続は有線、無線、モデムなどである。ここに記載された実施形態は網羅的または限定的な実施形態を意図するものではない。本発明は特許請求の範囲によってのみ限定される。
【図面の簡単な説明】
【００３２】
限定的でなく、かつ網羅的でない本発明の実施形態は以下の図面を参照して説明され、特に説明しない限り、同様の構成には図面を通じて同様の符号を付す。
【図１】本発明の一実施形態に係る送信機部を示すブロック図である。
【図２】本発明の一実施形態に係るインテリジェント・アレー無線受信機（ＩＡＲ）を説明する図である。
【図３】受信機内の各チャンネル用に用意された同一の信号処理ブロックを示すブロック図である。
【図４】送信機のエンコーディング機能を反転させるバックエンドデコーダを示すブロック図である。
【図５】３つの受信機経路からそれぞれ送られる同期情報およびサンプリング周波数のオフセット情報を処理し、一組の制御信号にするＩＡＲマスターコントローラを示すブロック図である。
【図６Ａ】マルチチャンネル符号同期を実行する第１の方法を示すフローチャートである。
【図６Ｂ】マルチチャンネル符号同期を実行する第２の方法を示すフローチャートである。
【図６Ｃ】マルチチャンネル符号同期を実行する第３の方法を示すフローチャートである。
【図６Ｄ】マルチチャンネル符号同期を実行する第４の方法を示すフローチャートである。
【図７Ａ】マルチチャンネル・フレーム同期を実行する第１の方法を示すフローチャートである。
【図７Ｂ】マルチチャンネル・フレーム同期を実行する第２の方法を示すフローチャートである。
【図７Ｃ】マルチチャンネル・フレーム同期を実行する第３の方法を示すフローチャートである。
【図７Ｄ】マルチチャンネル・フレーム同期を実行する第４の方法を示すフローチャートである。
【図８Ａ】マルチチャンネル・サンプリング周波数オフセット調整を実行する第１の方法を示すフローチャートである。
【図８Ｂ】マルチチャンネル・サンプリング周波数オフセット調整を実行する第２の方法を示すフローチャートである。
【図９】信号を受信する方法を示すフローチャートである。
【図１】
2007082212.tif 000003
【図２】
2007082212.tif 000004
【図３】
2007082212.tif 000005
【図４】
2007082212.tif 000006
【図５】
2007082212.tif 000007
【図６Ａ】
2007082212.tif 000008
【図６Ｂ】
2007082212.tif 000009
【図６Ｃ】
2007082212.tif 000010
【図６Ｄ】
2007082212.tif 000011
【図７Ａ】
2007082212.tif 000012
【図７Ｂ】
2007082212.tif 000013
【図７Ｃ】
2007082212.tif 000014
【図７Ｄ】
2007082212.tif 000015
【図８Ａ】
2007082212.tif 000016
【図８Ｂ】
2007082212.tif 000017
【図９】
2007082212.tif 000018
【外国語明細書】
2007082212.tif 000019
2007082212.tif 000020
2007082212.tif 000021
2007082212.tif 000022
2007082212.tif 000023
2007082212.tif 000024
2007082212.tif 000025
2007082212.tif 000026
2007082212.tif 000027
2007082212.tif 000028
2007082212.tif 000029
2007082212.tif 000030
2007082212.tif 000031
2007082212.tif 000032
2007082212.tif 000033
2007082212.tif 000034
2007082212.tif 000035
2007082212.tif 000036
2007082212.tif 000037
2007082212.tif 000038
2007082212.tif 000039
2007082212.tif 000040
2007082212.tif 000041
2007082212.tif 000042
2007082212.tif 000043
2007082212.tif 000044
2007082212.tif 000045
2007082212.tif 000046
2007082212.tif 000047
2007082212.tif 000048
2007082212.tif 000049
2007082212.tif 000050
2007082212.tif 000051
2007082212.tif 000052
2007082212.tif 000053